(57)【要約】    【課題】  記録済みの映像信号を極力再圧縮せずに、ユーザが記憶容量をコントロール可能な映像記録再生装置を提供する。    【解決手段】  映像信号をそれぞれ異なるビットレートでエンコードして記録媒体に記録する２以上のエンコーダと、記録媒体に記録中または記録終了後に、いずれかのエンコーダを介して記録された映像データを削除する手段とを備える。    【選択図】  図１
2006245867.tif 000002
【特許請求の範囲】
【請求項１】
圧縮された映像データを記録再生する映像記録再生装置であって、
映像データを第一のビットレートで圧縮する第一のエンコーダと、
映像データを前記第一のビットレートより低いビットレートである第二のビットレートで圧縮する第二のエンコーダと、
前記第一のエンコーダで圧縮された第一の映像データおよび前記第二のエンコーダで圧縮された第二の映像データとをそれぞれ保持する記録手段と、
前記記録手段に保持された前記第一の映像データおよび前記第二の映像データのいずれか一方を削除する削除手段と、を備えること
を特徴とする映像記録再生装置。
【請求項２】
請求項１記載の映像記録再生装置であって、
前記削除手段は、ユーザからいずれを削除するかの指示がない場合、所定期間経過後に、前記第一の映像データを前記記録手段から削除すること
を特徴とする映像記録再生装置。
【請求項３】
請求項１または２記載の映像記録再生装置であって、
前記記録手段から前記第一のビットレートで記録された映像データを読み出し、デコードする再圧縮用デコード手段と、
前記第二のエンコーダの入力を、前記再圧縮用デコード手段においてデコードした前記映像データとするよう制御する入力切替手段と、
ユーザから映像データを圧縮するビットレートの入力を受け付けるビットレート受付手段と、
前記第二のエンコーダの前記ビットレートを前記ビットレート受付手段で受け付けたビットレートに変更するビットレート変更手段と、を備えること
を特徴とする映像記録再生装置。
【請求項４】
入力された映像データを記録手段に圧縮して記録するとともに再生する映像記録再生装置における映像記録方法であって、
前記映像データを第一のビットレートで圧縮して第一の映像データとして前記記録手段に記録するとともに、前記第一のビットレートより低いビットレートである第二のビットレートにより当該映像データを圧縮して第二の映像データとして前記記録手段に記録する記録ステップと、
前記記録手段に保持された前記第一の映像データおよび前記第二の映像データのいずれか一方を削除する削除ステップと、を備えること
を特徴とする映像記録方法。
【請求項５】
入力された映像データを記録手段に圧縮して記録するとともに再生する映像記録再生装置における映像記録方法であって、
前記映像データを第一のビットレートで圧縮して第一の映像データとして前記記録手段に記録するとともに、前記第一のビットレートより低いビットレートである第二のビットレートにより当該映像データを圧縮して第二の映像データとして前記記録手段に記録する第一の記録ステップと、
ユーザから圧縮するビットレートであって前記第一のビットレートより低いビットレートの入力を受け付けるビットレート受付ステップと、
前記記録手段に保持された前記第二の映像データを削除する第一の削除ステップと、
前記第一の映像データをエンコードして前記ビットレート受付ステップで受け付けたビットレートで圧縮して第三の映像データとして前記記録手段に記録する第二の記録ステップと、
前記記録手段に保持された前記第一の映像データを削除する第二の削除ステップと、を備えること
を特徴とする映像記録方法。
【発明の詳細な説明】
【技術分野】
【０００１】
本発明は、圧縮された映像データを録画再生する映像記録再生装置に関する。
【背景技術】
【０００２】
画像信号処理技術の進歩に伴い、映像信号をＭＰＥＧ（Ｍｏｖｉｎｇ  Ｐｉｃｔｕｒｅ  Ｅｘｐｅｒｔｓ  Ｇｒｏｕｐ）方式で圧縮符号化し、ハードディスクや光磁気ディスク等の記録媒体に記録することが一般化されてきている。
【０００３】
しかし、映像信号（映像データ）は、上記方式で圧縮符号化したとしても、依然として非常に情報量が多いため、限られた容量の記録媒体に記録するために様々な工夫がなされている。
【０００４】
例えば、記録したい映像信号の総記録時間がわかっている場合、その総記録時間と記録媒体の記録容量とに従って、圧縮率を変えて記録する技術がある（例えば、特許文献１参照。）。
【０００５】
しかし、記録したい映像の総記録時間は必ずしも予めわかっているとは限らない。そこで、映像信号の総記録時間が不明な場合であっても、圧縮記録された映像信号を再圧縮して記録し直すことにより、所望の映像信号を記録する技術がある（例えば、特許文献２参照。）。本特許文献に記載の技術では、映像信号を記録中に記録媒体の空き容量が所定以下になると、既に圧縮して記録した映像信号を記録媒体から読み出して再圧縮しながら新規の映像信号とともに記録することを繰り返す。
【０００６】
【特許文献１】特開平８−１７１３７号公報
【特許文献２】特開平１１−１６７７７０号公報
【発明の開示】
【発明が解決しようとする課題】
【０００７】
特許文献２に記載されている技術では、容量が不足してきた際、既に圧縮記録されている映像信号は、読み出されて再圧縮されることとなる。このとき、再圧縮される映像信号をユーザが指定することができないと、ユーザが高い圧縮率を望まない映像信号が再圧縮される可能性もある。特許文献２に記載されている技術では、再圧縮を許容しない映像信号を予め指定可能な構成を備えている。しかし、再圧縮を許容しない映像信号が多い場合、許容される映像信号の圧縮率が極端に高くなる可能性があり、それらの画質は悪化する。
【０００８】
本発明は、上記事情に鑑みてなされたもので、記録済みの映像信号を極力再圧縮せずに、ユーザが記憶容量をコントロール可能な技術を提供することを目的とする。
【課題を解決するための手段】
【０００９】
本発明は、映像データをそれぞれ異なるビットレートでエンコードして記録媒体に記録する２以上のエンコーダと、記録媒体に記録中または記録終了後に、いずれかのエンコーダを介して記録された映像データを削除する手段とを備えた映像記録再生装置を提供する。
【００１０】
具体的には、圧縮された映像データを記録再生する映像記録再生装置であって、映像データを第一のビットレートで圧縮する第一のエンコーダと、映像データを前記第一のビットレートより低いビットレートである第二のビットレートで圧縮する第二のエンコーダと、前記第一のエンコーダで圧縮された第一の映像データおよび前記第二のエンコーダで圧縮された第二の映像データとをそれぞれ保持する記録手段と、前記記録手段に保持された前記第一の映像データおよび前記第二の映像データのいずれか一方を削除する削除手段と、を備えることを特徴とする映像記録再生装置を提供する。
【発明の効果】
【００１１】
本発明によれば、記録済みの映像データを極力再圧縮せずに、ユーザが記憶容量をコントロール可能となる。
【発明を実施するための最良の形態】
【００１２】
＜＜第一の実施形態＞＞
以下、本発明を適用した第一の実施形態について図面を用いて説明する。
【００１３】
図１は、本実施形態の映像記録再生装置１００のブロック図である。
【００１４】
本図に示すように、本実施形態の映像記録再生装置１００は、映像入力端子９と、映像出力端子１０と、エンコーダ１と、エンコーダ２と、ハードディスクドライブ（ＨＤＤ：Ｈａｒｄ  Ｄｉｓｋ  Ｄｒｉｖｅ）３と、デコーダ４と、デコーダ５と、入力切替器６と、制御部７と、ユーザインタフェース８とを備える。
【００１５】
エンコーダ１およびエンコーダ２は、入力端子９から入力された映像データを、ＭＰＥＧ方式などで圧縮符号化（エンコード）し、ＨＤＤ３に記録する。ＨＤＤ３は、エンコーダ１およびエンコーダ２でエンコードされた後の映像データを記録する記録媒体である。デコーダ４は、ＨＤＤ３に記録されている映像データを復号し、映像信号として映像出力端子１０から出力する。デコーダ５は、ＨＤＤ３に記録されている映像データを復号し入力切替器６へ出力する。入力切替器６は、エンコーダ２への入力を、制御部７からの指示に従って、映像入力端子９およびデコーダ５のいずれかに切り替える。
【００１６】
制御部７は、エンコーダ入力制御部７１と、ビットレート制御部７２と、再生制御部７３と、データ管理制御部７４と、これらの制御部および映像記録再生装置１００全体の動作を制御する中央制御部７５とを備える。
【００１７】
エンコーダ入力制御部７１は、エンコーダ２への入力信号の切り替えを行う。さらに、エンコーダ２にデコーダ５から映像データが入力されるよう入力切替器６を制御する場合、ＨＤＤ３に記録されている映像データをＨＤＤ３から読み出し、デコーダ５においてデコードするよう制御する。
【００１８】
ビットレート制御部７２は、エンコーダ１およびエンコーダ２それぞれにおけるビットレートの設定、変更などの制御を行う。ビットレートの設定および変更は、ユーザインタフェースを介して受け付けたユーザからの指示に従ってなされる。映像データ記録時は、エンコーダ１およびエンコーダ２は、それぞれ異なるビットレートが設定されるものとする。
【００１９】
本実施形態では、一例として、エンコーダ１には高ビットレート（９Ｍｂｐｓ）が、エンコーダ２には低ビットレート（６Ｍｂｐｓ）が設定されるものとして、以下説明する。もちろん、設定はこれに限られず、両エンコーダの処理能力内であり、両者が異なるものであれば、どのような値が設定されてもよい。また、設定ビットレートの高低が逆であってもよい。
【００２０】
データ管理制御部７４は、ＨＤＤ３に記録されているデータを管理する。ＨＤＤ３に記録された映像データに関する映像データ情報（録画開始時間、録画終了時間、映像に関するメタデータ等）とともに、それぞれの映像データ情報に対応づけて、エンコード時のビットレートをデータ管理データベース７４０として保持する。
【００２１】
データ管理データベース７４０の一例を図２に示す。本図に示すように、データ管理データベース７４０は、ＨＤＤ３に記録される映像データにより生成されるファイル毎に、そのタイトル名を格納するタイトル名格納欄７４１と、そのファイル名を格納するファイル名格納欄７４２と、その録画開始時間を格納する録画開始時間格納欄７４３と、その録画終了時間を格納する録画終了時間格納欄７４４と、その録画時のビットレートを格納するビットレート格納欄７４５とを備える。本実施形態では、同じ映像データが２種類のビットレートでエンコードされてそれぞれ記録される。これらは別ファイルとして、それぞれのビットレートとともに記録される。
【００２２】
また、データ管理制御部７４は、さらに、例えば、ユーザインタフェースを介して受け付けたユーザからの指示に従って、ＨＤＤ３に記録されている不要なデータを削除するなどの処理も行う。
【００２３】
再生制御部７３は、再生の制御を行う。すなわち、ユーザからの再生の指示に従って、ＨＤＤ３に記録されている映像データを読み出し、デコーダ４に出力する。なお、デコーダ４でデコードされた映像データは、映像出力端子１０を介して出力され、図示しないモニタで再生される。
【００２４】
ユーザは、ＨＤＤ３に記録された映像データを、録画中および録画終了後のいずれにおいても再生することが可能である。再生の指示は、ユーザから、ユーザインタフェース８に備えられたＧＵＩ（Ｇｒａｐｈｉｃａｌ  Ｕｓｅｒ  Ｉｎｔｅｒｆａｃｅ）を介して所望のデータの選択の指示を受け付けることによりなされる。
【００２５】
図３は、ユーザインタフェース８が備える表示画面に表示される録画タイトル一覧メニュー８１０の一例である。本画面は、ユーザからデータ選択を開始する指示を受け付けると、表示画面に表示される。ユーザからの指示は、画面上の各欄のクリックなどにより受け付ける。
【００２６】
本図に示すように、タイトル一覧メニュー８１０は、現在時刻を表示する現在時刻表示欄８１１と、その他の処理のためのメニューを表示する指示を受け付けるオプションメニューボタン８１２と、現在ＨＤＤ３に記録中または記録済のファイルの映像データ情報を表示する映像データ情報表示欄８１３と、２種類のビットレートで記録中または記録された映像データのうち、いずれのビットレートで記録されたものを選択するかの指示を受け付ける、モード受付ボタン８１３ａおよび８１３ｂとを備える。モード受付ボタン８１３ａおよび８１３ｂのいずれかが選択され、その後、所定期間操作を受け付けない場合は、再生が行われ、一方、所定期間内にオプションメニューボタン８１２が押下されたことを受け付けた場合は、削除、ビットレートの変更などの処理が行われる。なお、モード受付ボタン８１３ａおよび８１３ｂは、いずれかのビットレートの映像データが削除されると、削除された映像データのビットレートを表すボタンの表示は終了する。また、本画面に表示される映像データ情報は、データ管理データベース７４０から取得される。
【００２７】
次に、オプションメニューボタン８１２の選択を受け付けた場合に中央制御部７５がユーザインタフェース８の表示画面に表示するオプションメニュー８２０について説明する。図４は、オプションメニュー８２０の一例である。
【００２８】
本図に示すように、オプションメニュー８２０は、ファイルを削除する指示を受け付けるデータ削除ボタン８２１と、削除するファイルのビットレートを表示する記録ビットレート表示欄８２２と、記録するビットレートの変更の指示を受け付けるビットレート変更ボタン８２３と、変更後の記録ビットレートの入力を受け付ける変更ビットレート受付欄８２４とを備える。なお、変更ビットレート受付欄８２４には、オプションメニュー８２０選択時に選択されたビットレートが表示される。
【００２９】
次に、本実施形態の映像記録再生装置１００における、入力された映像データを記録する映像記録処理について説明する。
【００３０】
映像記録処理が開始されると、エンコーダ入力制御部７１は、入力切替器６を、映像入力端子９からエンコーダ２に映像データが入力されるよう制御する。また、ビットレート制御部７２は、映像データ記録のためのビットレートとして、エンコーダ１およびエンコーダ２それぞれに９Ｍｂｐｓおよび６Ｍｂｐｓを設定する。
【００３１】
映像入力端子９から入力された映像データは、エンコーダ１およびエンコーダ２へ入力される。すなわち、エンコーダ１およびエンコーダ２へは、同じ映像データが映像入力端子９から入力される。そして、入力された映像データは、エンコーダ１およびエンコーダ２において、ＭＰＥＧ方式などによりそれぞれ異なるビットレート（９Ｍｂｐｓ、６Ｍｂｐｓ）でエンコードされ、ＨＤＤ３へ記録される。
【００３２】
ＨＤＤ３において、エンコーダ１およびエンコーダ２でエンコードされたそれぞれの映像データの記録が開始されると、その映像データに関する映像データ情報がデータ管理制御部７４のデータ管理データベース７４０に記録される。記録開始以降、ユーザは、録画タイトル一覧メニュー８１０を介して、再生の指示、削除の指示を行うことができる。
【００３３】
次に、ユーザが２種類のビットレートで記録されている映像データから、所望の映像データを選択する処理について、図３の録画タイトル一覧メニュー８１０を例に以下に説明する。ユーザは、所望の映像データを再生して確認してから不要と考える映像データを削除する。
【００３４】
ユーザから録画タイトル一覧メニュー８１０の表示の指示を受け付けると、中央制御部７５は、データ管理制御部７４のデータ管理データベース７４０からデータを取得し、ユーザインタフェース８にタイトル一覧メニュー８１０を表示させる。
【００３５】
最初に、現在記録中の映像データについて選択する場合の処理について説明する。ここでは、ユーザはＴｉｔｌｅ−Ａの９Ｍｂｐｓで記録されている映像データを視聴し、いずれの映像データを残すかを判断するものとして以下説明する。もちろん、ユーザは６Ｍｂｐｓで記録されている映像データを視聴し、上記判断を行ってもよい。
【００３６】
タイトル一覧メニュー８１０の映像データ情報表示欄８１３の現在記録中の映像データ（Ｔｉｔｌｅ−Ａ）を示す領域の、モード受付ボタン８１３ａがクリックされ、Ｔｉｔｌｅ−Ａの９Ｍｂｐｓで記録された映像データの選択および再生の指示を受け付けると、中央制御部７５は、選択されていることを明確にするために、選択されたファイルの映像データ情報表示欄８１３の表示およびモード受付ボタン８１３ａの表示を反転させる。ここで、Ｔｉｔｌｅ−Ａの映像データは、現在記録中であり、かつ、いずれのビットレートで記録された映像データをＨＤＤ３に残すか未決定なため、モード受付ボタン８１３ａおよび８１３ｂが表示されている。ここでは、９Ｍｐｂｓおよび６Ｍｂｐｓの２種類のビットレートによる記録が選択可能である。
【００３７】
中央制御部７５は、タイトル一覧メニュー８１０画面を介して、ユーザからＴｉｔｌｅ−Ａのファイルの再生の指示を受け付けると再生制御部７３に、ＨＤＤ３から該当する映像データ（ここでは、「Ｔｉｔｌｅ＿２００４０３１０＿１９０００００＿１」のファイル）を抽出させ、デコーダ１に送信させる。デコーダ１で映像データはデコードされて映像出力信号として出力される。
【００３８】
ユーザは映像出力信号として出力された映像信号を視聴し、いずれのビットレートで保存するか判断する。本例では、６Ｍｂｐｓと９Ｍｂｐｓとで記録されている。例えば、高ビットレート（９Ｍｂｐｓ）で保存したいと考えた場合、削除するのは６Ｍｂｐｓで記録されている映像データとなる。従って、ユーザは６Ｍｂｐｓで記録されている映像データを削除する指示を行う。削除の指示は、録画タイトル一覧メニュー８１０で削除するビットレートを選択し、オプションメニュー８２０において確定させる方法と、オプションメニュー８２０において、削除するビットレートの指示を行う方法とがある。
【００３９】
ユーザが前者の方法を選択した場合、タイトル一覧メニュー８１０のモード受付ボタン８１３ａおよび８１３ｂのうち、該当するボタン（ここでは、８１３ｂ）を介して、６Ｍｂｐｓの選択の指示、および、オプションメニューボタン８１２の押下を受け付けると、中央制御部７５は、ユーザインタフェース８の表示画面に、オプションメニュー８２０を表示させる。オプションメニュー８２０の記録ビットレート表示欄８２２には、削除する指示を受け付けたビットレート（ここでは、６Ｍｂｐｓ）が表示される。
【００４０】
ユーザが後者の方法を選択した場合、タイトル一覧メニュー８１０のオプションメニューボタン８１２の押下を受け付けると、中央制御部７５は、ユーザインタフェース８の表示画面に、オプションメニュー８２０を表示させる。オプションメニュー８２０の記録ビットレート表示欄８２２の右端のクリックを受け付け、削除可能なビットレート（ここでは、９Ｍｂｐｓと６Ｍｂｐｓ）をビットレート表示欄８２２に表示させる。中央制御部７５は、ユーザが表示を選択したビットレート（ここでは、６Ｍｂｐｓ）を削除するビットレートとして受け付ける。
【００４１】
上記のいずれかの方法で削除するビットレートが確定した後、削除ボタン８２１の押下を受け付けると、中央制御部７５は、選択されたビットレート（ここでは、６Ｍｂｐｓ）での記録を中止し、それまでに当該ビットレート（ここでは、６Ｍｂｐｓ）でＨＤＤ３に記録された映像データを削除する。さらに、データ管理データベース７４０から、削除されたビットレートにより記録されたファイルに関するデータを削除する。ここでは、ファイル名「Ｔｉｔｌｅ−２００４０３１０＿１９００００＿２」の映像データが削除される。
【００４２】
一方、低ビットレート（６Ｍｂｐｓ）で保存したいと考えた場合、ユーザは９Ｍｂｐｓで記録されている映像データを削除する指示を行う。削除の指示は、基本的に６Ｍｂｐｓのデータを削除する上記の方法と同様である。
【００４３】
すなわち、タイトル一覧メニュー８１０のビットレート受付ボタン８１３ａおよび８１３ｂのうち、該当するボタン（ここでは、８１３ａ）を介して、９Ｍｂｐｓの選択の指示、および、オプションメニューボタン８１２の押下を受け付けると、中央制御部７５は、ユーザインタフェース８の表示画面に、オプションメニュー８２０を表示させる。オプションメニュー８２０の記録ビットレート表示欄８２２には、削除する指示を受け付けたビットレート（ここでは、９Ｍｂｐｓ）が表示される。または、タイトル一覧メニュー８１０のオプションメニューボタン８１２の押下を受け付けると、中央制御部７５は、ユーザインタフェース８の表示画面に、オプションメニュー８２０を表示させる。オプションメニュー８２０の記録ビットレート表示欄８２２の右端のクリックを受け付け、削除可能なビットレート（ここでは、９Ｍｂｐｓと６Ｍｂｐｓ）を表示させる。中央制御部７５は、ユーザが表示を選択したビットレート（ここでは、９Ｍｂｐｓ）を削除するビットレートとして受け付ける。削除するビットレート確定後、削除ボタン８２１の押下を受け付けると、中央制御部７５は、選択されたビットレート（ここでは、９Ｍｂｐｓ）での記録を中止し、それまでに選択されたビットレート（ここでは、９Ｍｂｐｓ）でＨＤＤ３に記録された映像データを削除する。さらに、データ管理データベース７４０から、削除されたビットレートにより記録されたファイルに関するデータを削除する。ここでは、ファイル名「Ｔｉｔｌｅ−２００４０３１０＿１９００００＿１」の映像データが削除される。
【００４４】
次に記録済の映像データについて選択する場合の処理について説明する。基本的には、記録中の映像データの処理と同様であるが、削除時に当該映像データの記録を中止する処理を行わない。
【００４５】
ユーザから録画タイトル一覧メニュー８１０の表示の指示を受け付けると、中央制御部７５は、データ管理制御部７４のデータ管理データベース７４０からデータを取得し、ユーザインタフェース８にタイトル一覧メニュー８１０を表示させる。
【００４６】
タイトル一覧メニュー８１０を介して、記録済の映像データ（Ｔｉｔｌｅ−Ｂ）の再生を選択する指示を受け付けると、中央制御部７５は、選択されていることを明確にするために、選択された映像データ（ファイル）の映像データ情報表示欄８１３の表示を反転させる。このとき、タイトル一覧メニュー８１０として表示される画面の一例を図５に示す。
【００４７】
ここで、Ｔｉｔｌｅ−Ｂについては、現時点では、９Ｍｂｐｓおよび６Ｍｂｐｓの両ビットレートでそれぞれエンコードされたファイルがＨＤＤ３に現存している。このため、モード受付ボタン８１３ａおよび８１３ｂが表示される。ここでは、９Ｍｐｂｓおよび６Ｍｂｐｓの２種類のビットレートによる記録の選択可能である。以下、ユーザが９Ｍｂｐｓで記録された映像データを視聴し、いずれの映像データを削除するか判断する場合を例にあげて説明する。もちろん、６Ｍｂｐｓで記録された映像データを視聴して判断を行ってもよい。
【００４８】
中央制御部７５は、タイトル一覧メニュー８１０画面を介して、ユーザからＴｉｔｌｅ−Ｂの９Ｍｂｐｓで記録された映像データ（ファイル名「Ｔｉｔｌｅ＿２００４０３０２＿１９０００００＿１」）の再生の指示を受け付けると再生制御部７３に、ＨＤＤ３から該当するファイルの映像データを抽出させ、デコーダ１に送信させる。デコーダ１で映像データはデコードされて映像出力信号として出力される。
【００４９】
ユーザは映像出力信号として出力された映像信号を視聴し、いずれのビットレートで保存するか判断する。例えば、６Ｍｂｐｓで記録された映像データを削除するものとする。タイトル一覧メニュー８１０のモード受付ボタン８１３ａおよび８１３ｂのうち、該当するボタン（ここでは、８１４３ｂ）を介して、６Ｍｂｐｓの選択の指示、および、オプションメニューボタン８１２の押下を受け付けると、中央制御部７５は、ユーザインタフェース８の表示画面に、オプションメニュー８２０を表示させる。オプションメニュー８２０の記録ビットレート表示欄８２２には、削除する指示を受け付けたビットレート（ここでは、６Ｍｂｐｓ）が表示される。
【００５０】
または、タイトル一覧メニュー８１０のオプションメニューボタン８１２の押下を受け付けると、中央制御部７５は、ユーザインタフェース８の表示画面に、オプションメニュー８２０を表示させる。オプションメニュー８２０の記録ビットレート表示欄８２２の右端のクリックを受け付け、削除可能なビットレート（ここでは、９Ｍｂｐｓと６Ｍｂｐｓ）を表示させる。ユーザが表示を選択したビットレート（ここでは、６Ｍｂｐｓ）を削除するビットレートとして受け付ける。
【００５１】
そして、削除ボタン８２１の押下を受け付けると、中央制御部７５は、それまでに選択されたビットレート（ここでは、６Ｍｂｐｓ）でＨＤＤ３に記録された映像データを削除する。さらに、データ管理データベース７４０から、削除されたビットレートにより記録されたファイルに関するデータを削除する。ここでは、ファイル名「Ｔｉｔｌｅ−２００４０３０２＿１９００００＿２」が削除される。
【００５２】
次に、記録するビットレートを変更する処理について説明する。ここでは、一例として、９Ｍｂｐｓおよび６Ｍｂｐｓのビットレートにより記録されている映像データを、４Ｍｂｐｓで記録するよう変更する場合を例にあげて説明する。ビットレートは、現在記録中または記録済の最も高いビットレート以下であれば、任意に変更することが可能である。ビットレートの変更も、録画タイトル一覧メニュー８１０を介して行われる。
【００５３】
ユーザから録画タイトル一覧メニュー８１０の表示の指示を受け付けると、中央制御部７５は、データ管理制御部７４のデータ管理データベース７４０からデータを取得し、ユーザインタフェース８にタイトル一覧メニュー８１０を表示させる。
【００５４】
次に、ユーザは、記録するビットレートを変更したい映像データ（ファイル）を選択する。ファイルは記録中のものであっても、記録が終了したものであってもいずれでもよい。また、変更を指示する場合は、最も高いビットレートで記録されている（記録された）映像データを選択する。
【００５５】
ここでは、ユーザから、モード受付ボタン８１３ａによる映像データの選択およびオプションメニューボタン８１２の押下を受け付けると、中央制御部７５は、ユーザインタフェース８の表示画面に、オプションメニュー８２０を表示させる。オプションメニュー８２０の変更ビットレート受付欄８２４には、選択された映像データを記録したビットレート（ここでは、９Ｍｂｐｓ）が表示される。
【００５６】
変更ビットレート受付欄８２４の右端のクリックを受け付け選択可能な記録レートを表示させることにより所望のビットレートの選択を受け付けると、または、変更ビットレート受付欄８２４への直接の入力により所望のビットレートの入力を受け付けると、中央制御部７５は、まず、現在記録中のビットレートで最も低いビットレート（ここでは、６Ｍｂｐｓ）での記録を中止し、それまでに選択されたビットレート（ここでは、６Ｍｂｐｓ）でＨＤＤ３に記録された映像データを削除する。さらに、データ管理データベース７４０から、削除されたビットレートにより記録されたファイルに関するデータを削除する。ここでは、ファイル名「Ｔｉｔｌｅ−２００４０３１０＿１９００００＿２」が削除される。
【００５７】
なお、記録済みのファイルに対して処理を行っている場合は、同じタイトルの記録済みファイルのうち、最もビットレートの低いファイルに関するデータを削除する。
【００５８】
次に、エンコーダ入力制御部７１に、入力切替器６を制御させ、エンコーダ２への入力を映像入力端子９からデコーダ５へ変更させる。そして、ビットレート制御部７２に、ユーザが設定したビットレート（ここでは、４Ｍｂｐｓ）でエンコードを行うよう、エンコーダ２を制御させる。そして、ＨＤＤ３から残されたファイル（ここでは９Ｍｂｐｓで記録されたもの）の映像データを読み出し、デコーダ５へ入力する。
【００５９】
デコーダ５から入力された映像データは、エンコーダ２において、４Ｍｂｐｓで再エンコードされ、ＨＤＤ３に記録される。このとき、通常の記録時と同様に、データ管理制御部７４において、データ管理データベース７４０に記録される。このときのデータ管理データベース７４０の様子を図６に示す。
【００６０】
ＨＤＤ３への変更後のビットレートでの記録が終了すると、中央制御部７５は、ＨＤＤ３から高いビットレート（この場合は、９Ｍｂｐｓ）で記録された映像データを削除するとともに、データ管理データベース７４０からも削除した映像データに関するレコードを削除する。図６においては、ファイル名「Ｔｉｔｌｅ−２００４０３１０＿１９００００＿１」に関するデータが削除される。
【００６１】
なお、本削除処理は、ユーザからの指示を待って行うよう構成してもよい。すなわち、ユーザは、ビットレートを変更後、そのビットレートで記録した映像データを再生し、その品質が所望のものであるかどうかを確認することができるよう構成してもよい。このように構成した場合、中央制御部７５は、ユーザからの再生の指示を受け付け、その後、さらに、ビットレートを下げる、または、最も高いビットレート（９Ｍｂｐｓ）以下の範囲で上げる指示を受け付け、当該ビットレートで、上記処理を繰り返し、所望のビットレートでの記録をＨＤＤ３に残す。最終的に、ユーザから最も高いビットレート（この場合は、９Ｍｂｐｓ）で記録した映像データを削除する指示を受け付け、上述した削除処理に従って、削除を行う。
【００６２】
なお、本実施形態においては、ユーザが録画終了後に、いずれかの映像データを削除する処理を行わなかった場合、所定期間経過後、予め定めたビットレートで記録された映像データを、ＨＤＤ３から自動的に削除するよう構成してもよい。期間の設定はユーザが任意に行うことができるものとする。
【００６３】
例えば、ＨＤＤ３に、同じタイトルのファイルであって、異なるビットレートで記録された映像データが複数種類残存している場合、７日経過後に、最も低いビットレートで記録された映像データのみを残し、他のビットレートで記録された映像データを削除するよう設定した場合、記録日から７日経過後に、図６のＴｉｔｌｅ−Ａのファイルのうち、ファイル名「Ｔｉｔｌｅ−２００４３１０＿１９００００＿１」が中央制御部７５により削除される。このように構成することにより、不要なデータが自動的に削除され、ＨＤＤの記憶領域を有効に活用することができる。
【００６４】
以上、本実施形態によれば、必ずしも、何度もエンコードを繰り返さずに、ユーザが所望の圧縮レベルで圧縮した映像データを記録保存することができる。すなわち、ユーザは、予め用意された複数の異なる圧縮率の映像データから、所望のものを選べばよいため、必ずしも再圧縮せずに映像データの記録容量をコントロールすることができる。
【００６５】
また、上記の実施形態では、エンコーダの数が２つの場合を例に挙げて説明したが、エンコーダの数は３以上であってもよい。１のエンコーダが入力切替器６を介して映像入力端子６に接続されていればよい。
【００６６】
＜＜第二の実施形態＞＞
次に、本発明を、デジタルハイビジョン放送の録画機に適用した場合の実施の形態を説明する。
【００６７】
図７は、本実施形態のデジタルハイビジョン放送記録再生装置７００のブロック図である。本図に示すように、本実施形態のデジタルハイビジョン放送記録再生装置７００は、ＭＰＥＧ−ＴＳ方式により圧縮されたデジタルハイビジョン放送信号（ＨＤ（Ｈｉｇｈ  Ｄｅｆｉｎｉｔｉｏｎ）信号）を受信するデジタルチューナ７０１と、記録媒体としてのハードディスク７０５と、デジタルチューナからの出力信号（トランスポートストリーム（ＴＳ：Ｔｒａｎｓ  Ｓｔｒｅａｍ）形式の信号）をデコードするＴＳデコーダ７０２と、ＨＤ信号であるトランスポートストリーム信号を、デジタル標準信号(ＳＤ（Ｓｔａｎｄａｒｄ  Ｄｅｆｉｎｉｔｉｏｎ）信号）に変換するＨＤ−ＳＤ変換器７０３と、デジタル標準信号をＭＰＥＧ−ＰＳ（Ｐｒｏｇｒａｍ  Ｓｔｒｅａｍ）のデータにエンコードするＰＳエンコーダ７０４と、ＨＤＤ７０５に記録されたトランスポートストリームデータを読み出してデコードするＴＳデコーダ７０９と、ＨＤＤ７０５に記録されているＭＰＥＧ−ＰＳデータをデコードするＰＳデコーダ７０８と、ＨＤＤ７０５からの出力をＴＳデコーダ７０９およびＰＳデコーダ７０８のいずれに入力するかを切り替えるデコーダ切替器７０７と、デコード後のデータをモニタへ出力する制御を行うＯＳＤ（Ｏｎ  Ｓｃｒｅｅｎ  Ｄｉｓｐｌａｙ）制御部７１０と、ＴＳデコーダ７０２への入力を切り替える入力切替器７０６と、デジタルハイビジョン放送記録再生装置７００全体の制御を行う制御部７１１とを備える。
【００６８】
さらに、制御部７１１は、エンコーダ入力制御部７２１と、ビットレート制御部７２２と、再生制御部７２３と、データ管理制御部７２４と、これらの制御部およびデジタルハイビジョン放送記録再生装置７００全体の動作を制御する中央制御部７２５とを備える。これらの機能は、基本的に第一の実施形態の同名の機能と同様である。
【００６９】
次に、デジタルハイビジョン放送記録再生装置７００において、ＨＤＤ７０５に残す映像データを選択する動作について説明する。
【００７０】
デジタルハイビジョン放送の番組の録画が開始されると、エンコーダ入力制御部７２１は、信号切替器７０６を操作し、ＴＳデコーダ７０２への入力がデジタルチューナ７０１となるよう制御する。
【００７１】
デジタルチューナ７０１において選局されたトランスポートストリーム信号は、ＨＤＤ７０５に記録されるとともに、ＴＳデコーダ７０２へ出力される。
【００７２】
ＴＳデコーダ７０２では、受信したＴＳ信号をデコードする。デコード後のトランスポートストリーム（ＨＤ信号）は、ＨＤ−ＳＤ変換器７０３へ出力される。ＨＤ−ＳＤ変換器７０３では、受信したＨＤ信号をＳＤ信号に変換し、ＰＳエンコーダ７０４へ出力する。ＰＳエンコーダでは、受信したＳＤ信号を予め定められたビットレートでエンコードし、ＨＤＤ７０５へ記録する。
【００７３】
すなわち、ＨＤＤ７０５には、デジタルチューナから直接入力されたトランスポートストリームによる映像データ(ＨＤモードと呼ぶ。）と、ＳＤ信号による映像データ（ＳＤモードと呼ぶ。）の両モードによる映像データが記録保持される。
【００７４】
本実施形態において、ＨＤＤ７０５に映像データの記録が開始されると、データ管理制御部７２４では、それぞれの映像データに関する映像データ情報（録画開始時間、録画終了時間、映像に関するメタデータ等）とともに、ＳＤ信号の場合、映像データ情報に対応づけて、エンコード時のビットレートをデータ管理データベース７３０として保持する。データ管理データベース７３０の一例を図８に示す。
【００７５】
本図に示すように、データ管理データベース７３０は、ＨＤＤ７０５に記録される映像データにより生成されるファイル毎に、そのタイトル名を格納するタイトル名格納欄７３１と、そのファイル名を格納するファイル名格納欄７３２と、その録画開始時間を格納する録画開始時間格納欄７３３と、その録画終了時間を格納する録画終了時間格納欄７３４と、ＨＤ信号であるかＳＤ信号であるかを示す情報を格納するモード格納欄７３５とを備える。なお、ＳＤ信号の場合、モード格納欄７３５には、録画時のビットレートも格納される。
【００７６】
本実施形態においても、第一の実施形態と同様に、ユーザは、ＨＤＤ７０５に記録された映像データを、記録中であっても記録終了後であっても再生して視聴することができる。ユーザは、視聴後、いずれのモードで記録された映像データを削除するか判断する。なお、記録中（または、記録済み）の映像データを再生する指示、削除する指示等は、第一の実施形態と同様に、予め用意されたＧＵＩの画面を用いて行われる。
【００７７】
図９は、本実施形態のユーザインタフェース７１２が備える表示画面に表示されるタイトル一覧メニュー９１０の一例である。本画面は、ユーザからデータ選択を開始する指示を受け付けると、表示画面に表示される。ユーザからの指示は、画面上の各欄のクリックなどにより受け付ける。
【００７８】
本図に示すように、タイトル一覧メニュー９１０は、現在時刻を表示する現在時刻表示欄９１１と、その他の処理のためのメニューを表示する指示を受け付けるオプションメニューボタン９１２と、現在ＨＤＤ７０５に記録中または記録済のファイルの映像データ情報を表示する映像データ情報表示欄９１３と、２種類のモードで記録中または記録された映像データにおいて、いずれのモードで記録されたものを選択するかの指示を受け付ける、モード受付ボタン９１３ａおよび９１３ｂとを備える。モード受付ボタン９１３ａは、ＨＤモードで記録された映像データを選択する指示を受け付け、モード受付ボタン９１３ｂは、ＳＤモードで記録された映像データを選択する指示を受け付ける。モード受付ボタン９１３ａおよび９１３ｂのいずれかが選択され、その後、所定期間内に操作を受け付けない場合は、再生が行われ、一方、所定期間内にオプションメニューボタンの押下を受け付けた場合は、削除、ビットレートの変更などの処理が行われる。
【００７９】
なお、モード受付ボタン９１３ｂには、記録されたビットレートも表示される。また、モード受付ボタン９１３ａおよび９１３ｂは、いずれかのモードで記録された映像データが削除されると、削除された映像データのモードを表すボタンの表示は終了する。映像信号情報表示欄９１３に表示される映像信号情報は、データ管理データベース７３０から取得して表示される。
【００８０】
例えば、ユーザから、Ｔｉｔｌｅ−ＡのファイルのＨＤモードで記録された映像データの再生の指示を受け付けると、再生制御部７２３は、デコーダ切替器７０９をＴＳデコーダ７０９へ切り替える。そして再生制御部７２３は、ＨＤＤ７０５からＴｉｔｌｅ−ＡのファイルのＨＤモードで記録されている映像データを読み出してＴＳデコーダ７０９へ送る。ＴＳデコーダ７０９においてデコードされた映像信号は、ＯＳＤ制御部７１０を介して装置に接続された図示しないモニタに出力される。
【００８１】
一方、ユーザによるＴｉｔｌｅ−Ａのファイルであって、ＳＤモードで記録された映像データの再生の指示を受け付けると、再生制御部７２３は、デコーダ切替器７０９をＰＳデコーダ７０８へ切り替える。そして再生制御部７２３は、ＨＤＤ７０５からＴｉｔｌｅ−ＡのファイルであってＳＤモードで記録されているファイルを読み出しＰＳデコーダ７０８へ送る。ＰＳデコーダ７０８においてデコードされた映像データは、ＯＳＤ制御部７１０を介して装置に接続された図示しないモニタに出力される。
【００８２】
ユーザは視聴後、いずれのモードで記録された映像データを保存するか判断する。例えば、ＨＤモードで記録された映像データを保存したいと判断した場合は、ＳＤモードで記録された映像データを削除する指示を行う。すなわち、タイトル一覧メニュー９１０の、録画モード受付ボタンのうち、ＳＤモードを押下する。
【００８３】
中央制御部７２５は、ＳＤモードを示す録画モード受付ボタン（ここでは、９１３ｂ）の押下を受け付け、続いてオプションメニューボタン９１２の押下を受け付けると、ユーザインタフェース７１２の表示画面に、オプションメニュー９２０を表示させる。
【００８４】
オプションメニュー９２０の一例を図１０に示す。本図に示すように、本実施形態のオプションメニュー９２０も、第一の実施形態と同様に、ファイルを削除する指示を受け付けるデータ削除ボタン９２１と、削除するモードを表示する記録モード表示欄９２２と、記録するビットレートの変更の指示を受け付けるビットレート変更ボタン９２３と、変更後の記録ビットレートの入力を受け付ける変更ビットレート受付欄９２４とを備える。なお、オプションメニュー９２０が表示された時点では、記録モード表示欄９２２には、選択されたファイルが記録されたモード（ＳＤモードの場合はそれに加えてビットレート）が表示される。
【００８５】
または、オプションメニューボタン９１２の押下を受け付けると、中央制御部７５は、ユーザインタフェース７１２の表示画面に、オプションメニュー９２０を表示させる。そして、記録モード表示欄９２２の右端のクリックを受け付け、削除可能なモード（ここでは、ＨＤモードとＳＤモード）を記録モード表示欄９２２に表示させる。中央制御部７５は、ユーザが表示を選択したモード（ここでは、ＳＤモード）を削除するモードとして受け付ける。
【００８６】
削除モード確定後、削除ボタン９２１の押下を受け付けると、中央制御部７２５は、選択されたモード（ここでは、ＳＤモード）での記録を中止し、それまでに当該モードでＨＤＤ７０５に記録された映像データを削除する。さらに、データ管理データベース７３０から、削除されたモードにより記録されたファイルに関するデータを削除する。ここでは、ファイル名「Ｔｉｔｌｅ−２００４０３１０＿１９００００＿２」が削除される。
【００８７】
一方、ＳＤモードで保存したいと考えた場合、ユーザは、ＨＤモードで記録されている映像データを削除する指示を行う。タイトル一覧メニュー９１０の録画モード受付ボタン９１３ａおよび９１３ｂのうち、該当するボタン（ここでは、９１４ａ）の押下とオプションメニューボタン９１２の押下を受け付けると、中央制御部７２５は、ユーザインタフェース７１２の表示画面に、オプションメニュー９２０を表示させる。このとき、記録モード表示欄９２２には、ＨＤモードが表示される。
【００８８】
または、オプションメニューボタン９１２の押下を受け付けると、中央制御部７５は、ユーザインタフェース７１２の表示画面に、オプションメニュー９２０を表示させる。そして、記録モード表示欄９２２の右端のクリックを受け付け、削除可能なモード（ここでは、ＨＤモードとＳＤモード）を記録モード表示欄９２２に表示させる。中央制御部７５は、ユーザが表示を選択したモード（ここでは、ＨＤモード）を削除するモードとして受け付ける。
【００８９】
削除モード確定後、削除ボタン９２１の押下を受け付けると、ＨＤモードによる記録を中止し、それまでに該当モードでＨＤＤ７０５に記録された映像データを削除する。さらに、データ管理データベース７３０から、削除されたモードにより記録されたファイルに関するデータを削除する。ここでは、ファイル名「Ｔｉｔｌｅ−２００４０３１０＿１９００００＿１」が削除される。
【００９０】
次に、本実施形態において、ユーザがＳＤモードにおける記録のビットレートを変更する処理を説明する。ここでは、一例として、Ｔｉｔｌｅ−ＡのＳＤモードにおける記録のビットレートを６Ｍｂｐｓから４Ｍｂｐｓに変更する場合を例にあげて説明する。変更後のビットレートは、ＰＳエンコーダ７０４がエンコードできる範囲であれば、任意に設定できる。
【００９１】
ユーザから録画タイトル一覧メニュー９１０の表示の指示を受け付けると、中央制御部７２５は、データ管理制御部７２４のデータ管理データベース７３０からデータを取得し、ユーザインタフェース７１２にタイトル一覧メニュー９１０を表示させる。
【００９２】
次に、ユーザからＴｉｔｌｅ−Ａのモード受付ボタン９１３ａおよびオプションメニューボタン９１２の押下の指示を受け付けると、中央制御部７２５は、ユーザインタフェース７１２の表示画面に、オプションメニュー９２０を表示させる。ここで、モード受付ボタンは、９１３ａおよび９１３ｂいずれが選択されてもよい。オプションメニューの変更ビットレート受付欄９２４には、設定可能なビットレートの最大値が表示される。
【００９３】
変更ビットレート受付欄９２４をクリックし、選択可能な記録レートを表示させ所望のビットレートの選択を受け付けると、あるいは、変更ビットレート受付欄９２４への直接の入力により、所望のビットレートの入力を受け付けると、中央制御部７２５は、まず、現在記録中のＳＤモードでの記録を中止し、それまでにＳＤモードで記録された映像データをＨＤＤ７０５から削除する。さらに、データ管理データベース７３０から、ＳＤモードにより記録されたファイルに関するデータを削除する。ここでは、ファイル名「Ｔｉｔｌｅ−２００４０３１０＿１９００００＿２」が削除される。
【００９４】
次に、エンコーダ入力制御部７２１に、信号切替器７０６を制御させ、ＴＳデコーダ７０２への入力をデジタルチューナ７０１からＨＤＤ７０５へ変更させる。そして、ビットレート制御部７２２に、ユーザが設定したビットレート（ここでは、４Ｍｂｐｓ）でエンコードを行うよう、ＰＳエンコーダ７０４を制御させる。そして、ＨＤＤ７０５からＨＤモードで記録された映像データを順次読み出し、ＴＳエンコーダ７０２へ入力する。
【００９５】
ＴＳエンコーダ７０２、ＨＤ−ＳＤ変換部７０３を経て入力された映像データは、ＰＳエンコーダ７０４において、４Ｍｂｐｓで再エンコードされ、ＨＤＤ７０５に記録される。このとき、通常の記録時と同様に、データ管理制御部７２４において、データ管理データベース７３０に記録される。
【００９６】
ＨＤＤ７０５への変更後のビットレートでの記録が終了すると、中央制御部７２５は、ＨＤＤ３からＨＤモードで記録された映像データを削除するとともに、データ管理データベース７４０からもＨＤモードに関するレコードを削除する。
【００９７】
なお、ビットレート変更後のＨＤモードで記録した映像データの削除処理は、ユーザからの指示を待って行うよう構成してもよい。すなわち、ユーザは、ビットレートを変更後、そのビットレートで記録した映像データを再生し、その品質が所望のものであるかどうかを確認し、その後、削除することができるよう構成してもよい。このように構成することで、ユーザは、ビットレート変更後、さらにビットレートを上げる変更および下げる変更を繰り返すことができる。
【００９８】
中央制御部７２５は、ユーザからの再生の指示を受け付け、その後、さらに、ビットレートを変更する指示を受け付け、当該ビットレートで、上記処理を繰り返し、所望のビットレートでの記録をＨＤＤ７０５に残す。最終的に、ユーザからＨＤモードで記録した映像データを削除する指示を受け付け、上述した削除処理に従って、削除を行う。
【００９９】
なお、ユーザが録画終了後に、いずれかのモードで記録された映像データを削除する処理を行わなかった場合、所定期間経過後、予め定めたモードで記録された映像データを、ＨＤＤ７０５から自動的に削除するよう構成してもよい。期間の設定はユーザが任意に行うことができるものとする。
【０１００】
例えば、７日経過後に、ＨＤモードで記録された映像データを削除するよう設定したとすると、中央制御部７２５は、録画日から７日経過後、自動的にＨＤＤ７０５から、ＨＤモードで記録されたデータを削除する。このように構成することにより、不要なデータが自動的に削除され、ＨＤＤの記憶領域を有効に活用することができる。
【０１０１】
以上、本実施形態によれば、必ずしも何度もエンコードを繰り返さずに、ユーザは所望のモードで、あるいは、所望の圧縮レベルで圧縮した映像データを記録保存することができる。すなわち、必ずしも再圧縮せずにユーザは映像データの記録容量をコントロールすることができる。特に、同じ記録時間であっても、デジタルハイビジョン放送（ＨＤ放送）を録画する場合、デジタル標準（ＳＤ）のデータを記録する場合に比べ、数倍記録容量が必要である。このため、記録容量の残量がなくなるまでの時間も当然早くなる。デジタルハイビジョン放送であっても、ニュース番組のような高画質で保存する必要性の低い映像データが混在する場合、本実施形態は特に効果的である。
【図面の簡単な説明】
【０１０２】
【図１】図１は、第一の実施形態の映像記録再生装置のブロック図である。
【図２】図２は、第一の実施形態のデータ管理データベースの一例を示す図である。
【図３】図３は、第一の実施形態の録画タイトル一覧メニューの一例を示す図である。
【図４】図４は、第一の実施形態のオプションメニューの一例を示す図である。
【図５】図５は、第一の実施形態の録画タイトル一覧メニュー一例を示す図である。
【図６】図６は、第一の実施形態のデータ管理データベースの一例を示す図である。
【図７】図７は、第二の実施形態のデジタルハイビジョン放送記録再生装置のブロック図である。
【図８】図８は、第二の実施形態のデータ管理データベースの一例を示す図である。
【図９】図９は、第二の実施形態のタイトル一覧メニューの一例を示す図である。
【図１０】図１０は、第二の実施形態のオプションメニューの一例を示す図である。
【符号の説明】
【０１０３】
１：エンコーダ、２：エンコーダ、３：ＨＤＤ，４：デコーダ、５：デコーダ、６：入力切替器、７：制御部、８：ユーザインタフェース、７１：エンコーダ入力制御部、７２：ビットレート制御部、７３：再生制御部、７４：データ管理制御部、７５：中央制御部、７０１：デジタルチュー、７０２：ＴＳデコーダ、７０３：ＨＤ−ＳＤ変換器、７０４：ＰＳエンコーダ、７０５：ＨＤＤ、７０６：入力切替器、７０７：デコーダ切替器、７０８：ＰＳデコーダ、７０９：ＴＳデコーダ、７１０：ＯＳＤ制御部、７１２：ユーザインタフェース、７２１：エンコーダ入力制御部、７２２：ビットレート制御部、７２３：再生制御部、７２４：データ管理制御部、７２５：中央制御部
【図１】
2006245867.tif 000003
【図２】
2006245867.tif 000004
【図３】
2006245867.tif 000005
【図４】
2006245867.tif 000006
【図５】
2006245867.tif 000007
【図６】
2006245867.tif 000008
【図７】
2006245867.tif 000009
【図８】
2006245867.tif 000010
【図９】
2006245867.tif 000011
【図１０】
2006245867.tif 000012